【事件の表示】
　平成　５年特許願第２２６８９４号「グラフィック処理装置」拒絶査定に対する審判事件［平成　６年　７月１５日出願公開、特開平　６−１９５４６９］について、次のとおり審決する。
【結　論】
　本件審判の請求は、成り立たない。
【理　由】
１．手続の経緯・本願発明
　
　本願発明は、昭和６１年１０月６日に出願した特願昭６１−２３６１４８号の一部を平成５年９月１３日に平成５年９月１３日に新たな特許出願したものであって、平成７年７月１０日に手続補正がされ、平成１０年３月９日に手続補正がされた後、平成１２年１月１１日拒絶査定がされ、これに対して、平成１２年２月１６日に審判請求がされたものである。
　なお、平成１２年３月１日付けの手続補正書は、当審における平成１３年１２月４日付け補正却下の決定の決定により却下された。
　
　前記平成１０年３月９日付けの手続補正書により補正された請求項１〜１５に係る発明のうちの、請求項１に係る発明は、明細書及び図面の記載からみて、次のとおりのもの（以下、「本願発明」という。）である。
　
「データ又はプログラムを記憶する第１のメモリと接続する第１の信号線と表示するための複数の画素データを記憶する第２のメモリと接続する第２の信号線との接続を制御するスイッチを制御するための制御信号を生成する制御部と、パターンデータを格納した内部メモリと、上記制御部からの制御信号によって接続された上記第１のメモリから読み出したデータ又は上記内部メモリから読み出したパターンデータを処理し、上記第２のメモリに出力する描画処理部とを有することを特徴とするデータ処理装置」
　
　なお、請求項１には、「上記内部メモリ」との記載はないが、「上記内部ＲＡＭ」なる記載以前に「内部ＲＡＭ」なる記載はなされておらず、請求項１における「上記内部ＲＡＭ］なる記載以前に記載された構成要素でパターンデータを読み出すことができるのは、「パターンデータを格納した内部メモリ」しかないため、「内部ＲＡＭ」は「内部メモリ」の誤記であると認め、本願発明を上記のように認定した。
　
　
２．引用例
　これに対して、原査定の拒絶理由に引用された特開昭５８−５５９７８号公報（昭和５８年４月２日出願公開。以下、「刊行物」という。）には、「画像表示装置」に関する発明において、図面と共に、以下の各記載がある。
　
（ａ）「中央演算処理装置ＣＰＵでの駆動制御は、入力部（図示せず）等から供給される制御信号に基づき、制御メモリＣＭから呼び出された制御プログラムに従って実行される。」（第１頁下右欄８行〜１１行）
（ｂ）「ＡＳはアドレスセレクタ、ＲＦＭは表示部ＣＲＴに表示すべきデータを格納する表示用メモリである。アドレスセレクタＡＳには、中央演算処理装置ＣＰＵから、表示メモリＲＦＭをアクセスするためのアドレス信号が供給される」（第１頁下右欄１６行〜２０行）
（ｃ）「このアドレスセレクタＡＳにおいては、中央演算処理装置ＣＰＵから信号線Ｓ３を介して供給されるアドレス切換信号ＡＳＳに基づき、上述のように入来したアドレス信号のいずれか一方を選択して取り出し、信号線Ｓ４を介して表示用メモリＲＦＭに供給する。」（第２頁上左欄３行〜８行）
（ｄ）「ＤＭは修飾メモリであり、表示用メモリＲＦＭに格納された画像データのうち特定の画像データのみを記憶された画像データのうち特定の画像データのみを記憶しておく。」（第２頁上左欄９行〜１１行）
（ｅ）「ＦＦ１およびＦＦ２はそれぞれ表示用メモリイネーブルラッチおよび修飾用メモリイネーブルラッチであり、これらは中央演算処理装置ＣＰＵによりセット／リセットの切換制御が行われる。表示用メモリイネーブルラッチＦＦ１がセット状態のときには、このラッチＦＦ１から制御信号が信号線Ｓ５を介して表示用メモリＲＦＭに送給され、中央演算処理装置ＣＰＵから表示用メモリＲＦＭへのアクセスが可能となる。同様に、修飾用メモリイネーブルラッチＦＦ２がセット状態の時には、信号線Ｓ６を介して修飾用メモリＤＭに制御信号が送給され、中央演算処理装置ＣＰＵから修飾用メモリＤＭへのアクセスが可能となる。」（第２頁上左欄１５行〜上右欄７行）
（ｆ）「第６図示のように、閉ループ図形ＡＢＣＤおよびａｂｃｄが重なった状態においても、各輪郭ＡＢＣＤ、ａｂｃｄ、ａｅＣｆの画像データのみを修飾用メモリＤＭ内に記憶しておけば、例えば閉ループａｂｃｄ内を赤色でぬりつぶした後閉ループ内ａｅＣｆのみを青でぬりつぶす場合等、その制御をメモリＤＭ内のデータに基づき容易に行うことができる。」（第３頁上左欄１６行〜上右欄３行）
　
　また、第１図の記載からみて、
（ｇ）アドレスバスＡＢは、中央演算処理装置、制御メモリＣＭ及びアドレスセレクタＡＳに接続され、信号線Ｓ４は、アドレスセレクタＡＳ及び表示用メモリＲＦＭに接続される。
　
 　上記の（ａ）から（ｇ）の記載によると、刊行物には、
「中央演算処理装置ＣＰＵでの駆動制御は、制御メモリＣＭから呼び出された制御プログラムに従って実行され
　表示用メモリＲＦＭは表示部ＣＲＴに表示すべきデータを格納し、
　アドレスセレクタＡＳには、中央演算処理装置ＣＰＵから、表示メモリＲＦＭをアクセスするためのアドレス信号が供給され、このアドレスセレクタＡＳにおいては、中央演算処理装置ＣＰＵから信号線Ｓ３を介して供給されるアドレス切換信号ＡＳＳに基づき、入来したアドレス信号のいずれか一方を選択して取り出し、信号線Ｓ４を介して表示用メモリＲＦＭに供給し、
　修飾メモリＤＭは、表示用メモリＲＦＭに格納された画像データのうち特定の画像データのみを記憶された画像データのうち特定の画像データのみを記憶し、
　アドレスバスＡＢは、中央演算処理装置、制御メモリＣＭ及びアドレスセレクタＡＳに接続され、信号線Ｓ４は、アドレスセレクタＡＳ及び表示用メモリＲＦＭに接続され、
  ＦＦ１およびＦＦ２はそれぞれ表示用メモリイネーブルラッチおよび修飾用メモリイネーブルラッチであり、これらは中央演算処理装置ＣＰＵによりセット／リセットの切換制御が行われる。表示用メモリイネーブルラッチＦＦ１がセット状態のときには、このラッチＦＦ１から制御信号が信号線Ｓ５を介して表示用メモリＲＦＭに送給され、中央演算処理装置ＣＰＵから表示用メモリＲＦＭへのアクセスが可能となり、修飾用メモリイネーブルラッチＦＦ２がセット状態の時には、信号線Ｓ６を介して修飾用メモリＤＭに制御信号が送給され、中央演算処理装置ＣＰＵから修飾用メモリＤＭへのアクセスが可能となることにより、
　閉ループ図形ＡＢＣＤおよびａｂｃｄが重なった状態において、各輪郭ＡＢＣＤ、ａｂｃｄ、ａｅＣｆの画像データのみを修飾用メモリＤＭ内に記憶して、例えば閉ループａｂｃｄ内を赤色でぬりつぶした後閉ループ内ａｅＣｆのみを青でぬりつぶす場合等、その制御をメモリＤＭ内のデータに基づき容易に行うことができる画像表示装置」の発明（以下、「刊行物記載の発明」という）が記載されているものと認められる。
　
　
３．対比・判断
　
　そこで、本願発明と刊行物記載の発明とを対比すると、
　
（ア）刊行物記載の発明は、例えば閉ループａｂｃｄ内を赤色でぬりつぶした後に閉ループ内ａｅＣｆのみを青でぬりつぶす場合等、その制御をメモリＤＭ内のデータに基づき容易に行うことができる画像表示装置であり、閉ループ内を赤や青に塗りつぶす処理は、画像データの処理であることは明らかであるから、「データ処理装置」である点で本願発明と相違しない。
　
（イ）刊行物記載の発明の「中央演算処理装置ＣＰＵ」に関し、刊行物記載の発明は、制御メモリＣＭが制御プログラムを格納し、表示用メモリＲＦＭが表示部ＣＲＴに表示すべきデータを格納している。また、アドレスバスＡＢが、中央演算処理装置ＣＰＵ、制御メモリＣＭ及びアドレスセレクタＡＳに接続され、信号線Ｓ４が、アドレスセレクタＡＳ及び表示用メモリＲＦＭに接続されている。
　そして、アドレスセレクタＡＳには、中央演算処理装置ＣＰＵから、表示メモリＲＦＭをアクセスするためのアドレス信号が供給され、このアドレスセレクタＡＳにおいては、中央演算処理装置ＣＰＵから信号線Ｓ３を介して供給されるアドレス切換信号ＡＳＳに基づき、入来したアドレス信号のいずれか一方が選択されて取り出され、信号線Ｓ４を介して表示用メモリＲＦＭに供給されている。
　このため、刊行物記載の発明の「中央演算処理装置ＣＰＵ」は、「データ又はプログラムを記憶する第１のメモリと接続する第１の信号線と表示するための複数の画素データを記憶する第２のメモリと接続する第２の信号線との接続を制御するスイッチを制御するための制御信号を生成する制御部」である点で、本願発明の「制御部」と一致する。
　
（ウ）刊行物記載の発明の「修飾用メモリＤＭ」は、表示用メモリＲＦＭに格納された画像データのうち特定の画像データのみを記憶された画像データのうち特定の画像データのみを記憶しているから、「パターンデータ」の点を除き、「データを格納した内部メモリ」である点、本願発明の「内部メモリ」と一致する。
　
（エ）刊行物記載の発明は、閉ループａｂｃｄ内を赤色でぬりつぶした後閉ループ内ａｅＣｆのみを青でぬりつぶす処理を行っているから、「上記制御部からの制御信号によって接続された上記第１のメモリから読み出したデータ又は上記内部メモリから読み出したパターンデータを処理し、上記第２のメモリに出力する」点を除き、「描画処理部を有する」点で、本願発明と一致する。
　
　したがって、上記の（ア）〜（エ）から見て、本願発明と刊行物記載の発明とは、
「プログラムを記憶する第１のメモリと接続する第１の信号線と表示するための複数の画素データを記憶する第２のメモリと接続する第２の信号線との接続を制御するスイッチを制御するための制御信号を生成する制御部と、データを格納した内部メモリと、描画処理部とを有するデータ処理装置」である点で一致し、次の点で相違する。
　
（あ）本願発明は、内部メモリがパターンデータを記憶しているのに対して、刊行物記載の発明は、表示用メモリＲＦＭに格納された画像データのうち特定の画像データがパターンデータであるか否か特定されていない点。
　
（い）本願発明は、描写処理部が制御部からの制御信号によって接続された上記第１のメモリから読み出したデータ又は上記内部メモリから読み出したパターンデータを処理し、上記第２のメモリに出力しているのに対して、刊行物記載の発明は、処理や出力に関してこのような特定がなされていない点。
　
４．当審の判断
　
　上記相違点について検討すると、
　
　（あ）の相違点について、内部メモリに画像データを記憶し、該内部メモリに記憶された画像データを表示するための画素データを記憶する第２のメモリへ出力し、該第２のメモリで合成する構成は周知な構成であると共に、内部メモリに記憶され、第２のメモリへ出力される画像データとしては、パターン化されていない画像データ及びパターンデータのいずれも周知な画像データである。
　そして、パターンデータとして記憶された図形に対して、ぬりつぶしなどのデータ処理を行うことも周知なデータ処理にすぎない。
　このため、刊行物記載の発明において、表示用メモリＲＦＭに格納された画像データのうち特定の画像データをパターンデータとすることは、当業者が格別の創意を要することなくなし得る事項である。
　
　（い）の相違点について、刊行物記載の発明では、閉ループ内を赤色又は青色でぬりつぶす処理が、具体的にどのような処理で行われているか記載されていないものの、中央演算処理装置ＣＰＵが修飾用メモリＤＭへアドレス信号を供給することでアクセスし、修飾用メモリＤＭ内に記憶された閉ループの図形を読み出し、読み出した図形に基づいて赤色又は青色でぬりつぶした後、表示用メモリＲＦＭへアドレスセレクタＡＳを介してアドレス信号を供給することでアクセスし、該アドレス信号で指定された位置にぬりつぶした図形を出力して上書きする処理を行えば、閉ループ内を赤色又は青色でぬりつぶす処理が行えることは当業者であれば明らかである。
　そして、刊行物記載の発明では、アドレス信号の中央演算処理装置ＣＰＵから修飾メモリＤＭへの供給は、中央演算処理装置ＣＰＵによるセット／リセット切換制御で修飾メモリイネーブルラッチＦＦ２がセット状態となった場合に行われ、表示用メモリＲＦＭへの供給は、中央演算処理装置ＣＰＵからのアドレス切換信号ＡＳＳに基づいてアドレスセレクタＡＳで表示用メモリＲＦＭのアドレスが選択され、且つ、中央演算処理装置ＣＰＵによるセット／リセット切換制御で表示用メモリイネーブルラッチＦＦ１がセット状態となった場合に行われるものであって、修飾メモリＤＭからの読み出して表示用メモリＲＦＭへの書き込む動作に限れば、読み出し時又は書き込み時に修飾メモリＤＭと表示用メモリＲＦＭを択一的にアクセスできればよいから、アドレス切換信号ＡＳＳを修飾メモリイネーブルラッチＦＦ２及び表示用メモリイネーブルラッチＦＦ１に供給すれば、アドレス切換信号ＡＳＳに基づいてセット／リセット制御が行い得ることは明らかである。
　また、読み込みや書き込みがなし得るということは、実質的に接続されていることを表している。
　このため、刊行物１記載の発明において、アドレス切換信号ＡＳＳを修飾メモリイネーブルラッチＦＦ２及び表示用メモリイネーブルラッチＦＦ１に供給することで、中央演算処理装置ＣＰＵからのアドレス切換信号ＡＳＳに基づいて、表示用メモリイネーブルラッチＦＦ１及び修飾メモリイネーブルラッチＦＦ２のセット／リセットの切換制御を行い、該アドレス切換信号ＡＳＳによって接続された修飾メモリから読み出した画像データを処理し、表示用メモリに出力するよう構成すること、即ち、描写処理部が制御部からの制御信号によって接続された第１のメモリから読み出したデータ又は内部メモリから読み出したパターンデータを処理し、第２のメモリに出力するよう構成することは、当業者であれば容易になし得る事項である。
　
　そして、本願発明の構成によりもたらされる効果も、刊行物記載の発明、並びに、周知事項から当業者が容易に予想し得る程度のものであり、格別のものではない。
　
　
５．まとめ
　
　したがって、本願発明は、刊行物記載の発明、及び、周知事項に基づいて、当業者が容易に発明することができるものであり、特許法第２９条第２項の規定により特許を受けることができない。
　
　よって、結論のとおり結審する。